(57)【特許請求の範囲】
【請求項１】
車速に基づいて燃料の供給量および補助ブレーキを制御するコントローラを設けることにより、車速を予め定めた目標値に維持させるようにした車両用エンジンにおいて、前記補助ブレーキの作動状態から非作動状態への切り換わり時に予め定めた時間だけ燃料の供給制限を維持させた後に、時間の経過にともなって燃料の供給制限値を徐々に増大させる手段を設ける一方、補助ブレーキの作動中にアクセルペダルを踏み込み操作した場合は補助ブレーキを非作動状態に切換操作するとともに燃料の供給制限を直ちに解除する手段を設けたことを特徴とする車両用エンジンの燃料供給量制御装置。
【発明の詳細な説明】
【０００１】
【発明の属する技術分野】
本発明は車両用エンジンの燃料供給量制御装置に係り、特に、燃料の供給量および補助ブレーキを制御して車速を予め定めた目標値に維持させるコントローラを設けた車両用エンジンの燃料供給量制御装置に関するものである。
【０００２】
【従来の技術】
従来のこの種の制御装置としては、例えば図２に示したように、車両用エンジン１に燃料を供給するノズル２の制御手段としてコントローラ３を設ける一方、アクセルペダル４の開度を検出するアクセルセンサ５および車速を検出する車速センサ６を設け、これら両センサ５、６の出力信号を前記コントローラ３に供給することにより、車速に基づいてノズル２および図示しない補助ブレーキの作動信号を調整し、燃料の供給量および補助ブレーキを制御して車速を予め定めた目標値に維持させるようにしたものがある。
【０００３】
このような従来の燃料供給量制御装置においては、車両の走行中に車速保持スイッチをオン操作した場合は、アクセルペダル、クラッチペダルあるいはブレーキペダルなどを操作してドライバの意志を新たに表示するまでの間は燃料の供給量を自動制御して車速を予め定めた目標値に維持させる。
【０００４】
また、上記のようなオートクルーズでの走行において、前方を走行する車両との間隔（車間距離）が所定値より小さくなった場合は、自動的に補助ブレーキを作動させて車速を低下させる。そして、前車の走行速度の上昇あるいは他の条件に基づいて車間距離が所定値より大きくなると補助ブレーキの作動を解除して燃料の供給を復帰させ、もって、車速を目標値にまで戻して前記同様のオートクルーズを行わせるために、ドライバの負担が軽減される。
【０００５】
しかしながら、従来では図３に示したようにアクセルペダルの踏み込み時はもとより、自動補助ブレーキ信号の解除に同期して補助ブレーキを非作動状態に切換作動させるとともに、この補助ブレーキの切換作動にともなって噴射量の制限を解除するようにしていた。このために、補助ブレーキの解除に同期して燃料の供給量が急激に増大するために、例えば黒煙が排出され、あるいは、エンジンの出力トルクが急激に増大してドライバに違和感を与えてしまうという不具合があった。
【０００６】
【発明が解決しようとする課題】
本発明は上記実情に鑑みてなされたものであって、補助ブレーキの解除にともなう違和感を回避するとともに、黒煙の排出などを抑制することを課題としている。
【０００７】
【課題を解決するための手段】
上記課題を解決するために本発明は、車速に基づいて燃料の供給量および補助ブレーキを制御するコントローラを設けることにより、車速を予め定めた目標値に維持させるようにした車両用エンジンにおいて、前記補助ブレーキの作動状態から非作動状態への切り換わり時に予め定めた時間だけ燃料の供給制限を維持させた後に、時間の経過にともなって燃料の供給制限値を徐々に増大させる手段を設ける一方、補助ブレーキの作動中にアクセルペダルを踏み込み操作した場合は補助ブレーキを非作動状態に切換操作するとともに燃料の供給制限を直ちに解除する手段を設けたことを特徴としている。
【０００８】
【発明の実施の形態】
以下に本発明の実施形態を図に基づいて詳細に説明する。図１は本発明に係る車両用エンジンの燃料供給量制御装置の一実施形態を示す制御特性図である。
【０００９】
本実施形態においては、例えばオートクルーズでの走行において、前方を走行する車両との間隔（車間距離）が所定値より小さくなった場合は、コントローラからの自動補助ブレーキ信号が出力されるために、車速を低下させて車間距離が小さくなり過ぎないようにする。そして、前方を走行する車両の走行速度の上昇あるいは他の条件に基づいて車間距離が所定値より大きくなると、コントローラから自動補助ブレーキを解除する旨の信号が出力されるために、例えばリターダなどで構成された補助ブレーキが解除作動される。
【００１０】
また、このようにして補助ブレーキが解除作動されると、図示しないタイマなどが作動し、予め定めた時間Ｔ１だけ燃料の供給制限の解除を遅延させて制限状態を維持させた後に、時間の経過にともなって燃料の供給制限値を徐々に増大させる。このような燃料の供給制限は、補助ブレーキが解除されてから時間Ｔ２が経過するまで継続される。よって、補助ブレーキの解除後Ｔ１時間が経過した時点で燃料の再供給が開始され、Ｔ２時間に近づくにつれて燃料の供給量が次第に増加してＴ２時間経過後にやっと当初の量の燃料が供給されることになる。
【００１１】
従って、自動補助ブレーキの解除直後は遅れをもって燃料の供給が徐々に解除されて車速が目標値まで戻されることになり、燃料供給量の急激な増大にともなう黒煙の排出が抑制されるとともに、エンジンの出力トルクが徐々に増大するために車速の急激な上昇が回避されて違和感が回避される。
【００１２】
また、補助ブレーキの作動中に車速を向上させるべく図１に二点鎖線で示したようにアクセルペダルを踏み込み操作した場合は、この踏み込みに同期して補助ブレーキが非作動状態に切換操作されるとともに、同図に一点鎖線で示したように燃料の供給制限が直ちに解除されるために、ドライバの操作に対する応答性が損なわれることはない。
【００１３】
上記実施形態においては、予め定めた時間Ｔ１だけ制限量の解除を遅延させた後に、時間の経過にともなって供給制限値を徐々に連続的に増大させるようにして車速の急激な変化を防止するようにしているが、予め定めた時間Ｔ１が経過した後に制限値を段階的に増加させることもできる。
【００１４】
【発明の効果】
以上の説明から明らかなように本発明は、補助ブレーキの解除作動にともなう燃料供給制限の解除を遅延作動させつつ、燃料の供給量を次第に増加させて補助ブレーキの解除時に見られる供給量の急激な増大を回避するようにしたものであるから、補助ブレーキの解除時に懸念される黒煙の排出が抑制されるとともに、エンジンの出力トルクの急激な増大が回避されて違和感が回避される。また、補助ブレーキの作動中であってもアクセルペダルを踏み込み操作した場合は、この踏み込みに同期して補助ブレーキが非作動状態に切換操作されるとともに、燃料の供給制限が直ちに解除されるようにしているために、ドライバの操作に対する応答性が損なわれることもない。
【図面の簡単な説明】
【図１】本発明に係る車両用エンジンの燃料供給量制御装置の一実施形態を示す制御特性図である。
【図２】車両用エンジンの燃料供給量制御装置の一例を示す概略構成図である。
【図３】車両用エンジンの燃料供給量制御装置の従来例の制御特性図である。
【符号の説明】
１    エンジン
２    ノズル
３    コントローラ
４    アクセルペダル
５    アクセルセンサ
６    車速センサ
【図１】
0003771049.tif 000002
【図２】
0003771049.tif 000003
【図３】
0003771049.tif 000004